【事件の表示】
　平成　６年特許願第２８４６００号「集光・集熱装置」拒絶査定に対する審判事件［平成　８年　４月３０日出願公開、特開平　８−１１０４１０］について、次のとおり審決する。
【結　論】
　本件審判の請求は、成り立たない。
【理　由】
1.手続の経緯・本願発明
　本願は平成６年１０月１１日の出願であって、その請求項１に係る発明（以下、「本願発明」という。）は、平成１０年１１月１８日付け及び平成１１年４月１８日付けの手続補正書によって補正された明細書及び図面の記載からみて、その特許請求の範囲の請求項１に記載されたとおりの次のものと認める。
「入り口が広く、この入り口部分から次第に細くなる緩やかな傾斜面としてその下端側を一定の太さとする胴体部が形成されている漏斗状の構造を有して前記入り口が様々の角度に設置される複数の受光体と、この複数の受光体に形成されている胴体部の下端側を揃えて連結されている入り口が広くその下端側に向かって次第に細くなる緩やかな傾斜面とする集光体とよりなり、太陽光線を前記受光体の入り口から直接略平行線の形で取り入れるとともに次第に細くなる胴体部の内側面に形成される反射面を用いて略平行線に近い形で反射させて集光体に取り入れられることを特徴とする集光・集熱装置。」
２．引用刊行物記載の発明
　これに対して、当審における、平成１２年６月２８日付けで通知した拒絶の理由に引用した、本願の出願日前である、昭和６４年１月２４日に頒布された「特開昭６４−２１４０２号公報」（以下「引用刊行物１」という。）には、次の事項が記載されている。
「この発明は、先細り内面鏡内に入射した光又は光と熱を該鏡面ににて連続的に反射せしめて頂部に集光集熱し、これをさらに細長状内面鏡内を連続的に反射せしめて伝送する集光熱とその伝送装置に関する。」（第１頁左下欄第１８行乃至右下欄第２行）
「まず、第１図、第２図、第３図における第１実施例では、第１図で円筒形をした先細り内面鏡１の一端側広拡部、すなわち、底部を直径が３０センチメートルで硝子又はアクリル板又はプラスチック板等の透明板４で密閉されており、内面は鏡面状になされて、頂部方向に向けて順次直径が小さくなり、先端、すなわち、頂部は内径が１５ミリメートルの部分で切断され、先細り内面鏡１は長さ５０センチメートルの合成樹脂製で、長さ中央よりやや頂部に片寄った内部には円筒軸と垂直をなした硝子製のレンズ５が、先細り内面鏡１内壁に固定されており、外壁の長さのほぼ中央部に、先細り内面鏡１連結用の固定金具８が固定されており、先細り内面鏡１の頂部切断部には、内径を同じとした内部鏡面状、合成樹脂製の細長内面鏡２が密着接続されて、必要に応じて５〜３０メートル延長され、細長内面鏡２の他の一端部は、例えば、室内天井１４に固定された内部白色又はメッキ状、端部広拡の発光器３に密着接続され、この発光器３の広拡端部も硝子板製等の透明板４で密着固定されている。これ等の装置において、まず、先細り内面鏡１の底部方向より光、例えば、太陽光が内面鏡１内に入射する、入射した光は内面鏡１が先細りになっているため反射角を少しづつ大きくしながら、第３図に示したごとく連続的に回転を伴う反射をしながら頂部方向にすすみ、反射角が大きくなって入射方向にはね返りが生じる位置の少し入射側に設けられたレンズ５で、散乱する光線を焦点方向に集光し、比較的直進性のある収集光は細長内面鏡２の内面を連続的に反射しながら、その末端部にある発光器３到達し、この光は、発光器３内面で散乱光となり室内を照射する。この実施例で、先細り内面鏡１の底部および発光器３の広拡部に透明板４を密着固定させたのは、両端部から湿気が入り込み側面の反射を悪くするのを防ぐためである。この装置によれば、例えば、太陽光が先細り内面鏡１の円心より３０度傾いた場合においても効率よく集光できるもので、連続的に多数設置すれば、従来装置のごとく光追尾装置が必要なくなり、簡単な固定状装置となり設備費が安く、又、運転費用もかからない効果がある。」（第１頁右下欄第１５行乃至第２頁右上欄第１７行）
「第５図は第３実施例であり、これにおいては、先細り内面鏡１の底部、透明板４外に更に赤外線反射板７を設けて太陽光等に含まれる熱線を導入させないようにし、また、先細り内面鏡１の長さを長くして反射角をできるだけ小さくし、集光用のレンズ５を省略し、装置の制作費を少なくしたものである。」（第２頁左下欄第７乃至１３行）
「第１０図、第１１図は第７実施例で、これは、第１実施例で示した先細り内面鏡１を連続して放射状に配列した例であり、固定台１５によって　屋根等に両端側を東西方向に向けて固定されている。これにおいて、太陽が東方面より順次西方面に移動する場合、太陽方向に対して約３０度以内に中心線を有す先細り内面鏡１に入射した光線が有効反射をおこない、伝送用の細長内面鏡２に入射し、発光器３まで伝送される。この装置によれば、東、中央、西方向よりの先細り内面鏡１で集光した光線を一対として一定の室内に導入すれば、日昇より日没まで例えば、北側の室内を安定的に照射できる。また、特定な使用目的のある、例えば、ダイニングキッチンには、調理、食時時間に最大限採光ができる方向の先細り内面鏡１より採光し、日中は居室に多くを向けることができる。また、この装置の設置は傾斜のある、かわら屋根や、外壁部等でもよい。」（第３頁左上欄第４行乃至右上欄第１行）
「第１８図は第１２実施例であり、例えば第１０図における第７実施例において、多数配設した先細り内面鏡１よりの集光した光線を細長内面鏡２により伝送する際、２〜１０本の細長内面鏡２を先細り内面鏡１の光入射面に密着固定し、先細り内面鏡１内に入射する１次集光した光を更に、前記実施例のごとく頂部へ再集光し、細長内面鏡２内を伝送し、発光部において、より明るさの強い光を発光できるようしたものである。」（第４頁右上欄第１０乃至１８行）
　これらの記載によると引用刊行物１には、
「放射状に多数配設された先細り内面鏡より直接集光した太陽光線を伝送する際、当該多数の先細り内面鏡に接続した細長内面鏡を当該多数の先細り内面鏡とは別の先細り内面鏡の光入射側に密着固定し、多数の先細り内面鏡内に入射する１次集光した光を更に、前記別の先細り内面鏡により再集光、伝送した光・熱収集伝送装置」（以下「引用刊行物１記載の発明」という。）が記載されているものと認められる。
３．対比・判断
　引用刊行物１記載の発明の「先細り内面鏡およびこの先細り内面鏡に接続した細長内面鏡」、「別の先細り内面鏡」はそれぞれ本願発明の「入り口が広く、この入り口部分から次第に細くなる緩やかな傾斜面としてその下端側を一定の太さとする胴体部が形成されている漏斗状の構造を有する受光体」、「入り口が広くその下端側に向かって次第に細くなる緩やかな傾斜面とする集光体」に相当する。そして、引用刊行物１記載の発明は先細り内面鏡が放射状に多数配設されているので、入り口が様々な角度に設置される複数の受光体よりなるものである。また、引用刊行物１記載の発明は太陽光線を先細り内面鏡により直接集光し、集光した光を先細り内面鏡及び細長内面鏡の内面鏡により反射させて伝送し別の先細り内面鏡に再集光するものであるので、太陽光線を受光体の入り口から直接略平行線の形で取り入れるとともに次第に細くなる胴体部の内側面に形成される反射面を用いて略平行線に近い形で反射させて集光体に取り入れるものである。よって、引用刊行物１には本願発明の構成が実質的にすべて記載されている。
４．むすび
　したがって、本願発明は、引用刊行物１記載の発明と同一のものであるので、特許法第２９条第１項第３号の発明に該当し特許を受けることが出来ない。
　よって、結論のとおり審決する。